(57)【要約】      （修正有）【課題】病院や介護施設等で使用されるナースコールクリップを提供する。【解決手段】先端に上挟持部２ｃを形成した上摘み片２ａ及び、先端に挟持部２ｄを形成しスイッチ挿通孔２ｌを穿設した下摘み片２ｂからなり、上下摘み片２ａ、２ｂを略Ｈ字状に連結したクリップ本体２と、コード３ｄを介してナースコールシステムに接続される電極３ｂ、３ｃを備え、スイッチ３ａが上挟持部２ｃ底面より下方に突出した状態でオンとなる、上挟持部２ｃに内蔵されるスイッチ本体３と、上摘み片２ａの中央よりやや後部の下面と下摘み片２ｂの中央よりやや後部の上面を連結するスプリング４とからなるナースコールクリップ１であって、上挟持部２ｃに上挟持補助材２ｅ及び収納部２ｋを取付け、下挟持部２ｄに下挟持補助材２ｆを取付け、更に上下摘み片２ａ、２ｂの後部に滑り止め２ｊを形成し、上下摘み片２ａ、２ｂの平面型状を略スプーン形又は略涙滴型とした。【選択図】図３
2010088742.tif 000002
【特許請求の範囲】
【請求項１】
先端に上挟持部を形成した上摘み片及び先端に下挟持部を形成するとともにスイッチ挿通孔を穿設した下摘み片からなる上下摘み片を略Ｈ字状に連結したクリップ本体と、一端にスイッチを備え他端にコードを介してナースコールシステムに接続される電極を備え、スイッチが前記上挟持部底面より下方に突出した状態で上挟持部に内蔵されるスイッチ本体と、前記上摘み片の中央よりやや後部の下面と下摘み片の中央よりやや後部の上面を連結するスプリングとからなることを特徴とするナースコールクリップ。
【請求項２】
クリップ本体を、上挟持部に上挟持補助材及び収納部を取付け、下挟持部に下挟持補助材を取付け、更に上下摘み片の後部に滑り止めを形成したクリップ本体としたことを特徴とする請求項１に記載のナースコールクリップ。
【請求項３】
クリップ本体を、上下摘み片の平面型状を略スプーン形又は略涙滴型のいずれか一方としたことを特徴とする請求項１又は請求項２に記載のナースコールクリップ。
【請求項４】
スイッチ本体を、スイッチを押した状態でオフとなり、スイッチを押さない状態でオンとなるスイッチ本体としたことを特徴とする請求項１、請求項２又は請求項３のいずれかに記載のナースコールクリップ。
【発明の詳細な説明】
【技術分野】
【０００１】
本発明は、病院や介護施設等で使用されるナースコールクリップに関する発明である。
【背景技術】
【０００２】
従来、病院や介護施設等で使用されているナースコールは、患者又は被介護者のベッド付近に置かれていた押しボタン式のナースコールや患者等の衣服の一部に挟んで使用するクリップ式のナースコールがあった。クリップ式のナースコールについては、患者や被介護者等がベッドから落下したり、認知症等の理由で勝手に出歩いてしまった場合に患者等が操作をすることがなくナースコールが鳴り、看護師等が駆けつけることができるために使用されており、挟むクリップの両端に電極が取り付けられ電極間に衣服等が挟まれた状態ではナースコールが鳴らず、挟まれた衣服等が外れて電極同士が接触した場合にナースコールが鳴るというシステムであった。
【０００３】
しかしながら、従来のクリップ式のナースコールではクリップの電極に電流が流れることにより、ペースメーカーやその他の精密医療機器の誤作動に繋がる可能性があり、患者に対する影響が懸念されていた。
【０００４】
また、電極が接触することで電流が流れるため、電極間に挟まれる衣服が濡れてしまった場合や金属製の繊維を使用した衣服の場合には電流が流れてしまいナースコールが鳴ってしまうことがあった。
【０００５】
更に、電極同士が離れている状態であればナースコールが鳴らないという構造では、患者が故意にクリップを摘んで外し、電極同士が接触しない状態を保ったままベッドシーツや枕等、電気を通さないものに付け替えた場合はナースコールが鳴らないため、その後に患者等に何かが起こっても即座に対応することができない場合があった。
【特許文献１】特開２００７−１１７２５９号公報
【特許文献２】特開２００６−３０５２５９号公報
【発明の開示】
【発明が解決しようとする課題】
【０００６】
そこで、本発明は、衣服が水に濡れたり、金属製の繊維を使用した衣服であっても誤作動を起こすことなく、ペースメーカーや精密医療機器等を使用している患者等であっても安心して使用でき、故意に外した場合には必ずナースコールが作動するため即座に対応することができるナースコールを提供することを目的とするものである。
【課題を解決するための手段】
【０００７】
本発明は、上記の課題を解決するために、先端に上挟持部２ｃを形成した上摘み片２ａ及び先端にした挟持部２ｄを形成しスイッチ挿通孔２ｌを穿設した下摘み片２ｂからなり上下摘み片２ａ、２ｂを略Ｈ字状に連結したクリップ本体２と、一端にスイッチ３ａを備え他端にコード３ｄを介してナースコールシステムに接続される電極３ｂ、３ｃを備えてスイッチ３ａが前記上挟持部２ｃ底面より下方に突出した状態で上挟持部２ｃに内蔵されるスイッチ本体３と、前記上摘み片２ａの中央よりやや後部の下面と下摘み片２ｂの中央よりやや後部の上面を連結するスプリング４とからなるナースコールクリップ１と、
クリップ本体２を、上挟持部２ｃに上挟持補助材２ｅ及び収納部２ｋを取付け、下挟持部２ｄに下挟持補助材２ｆを取付け、更に上下摘み片２ａ、２ｂの後部に滑り止め２ｊを形成したクリップ本体２としたことを特徴とするナースコールクリップ１と、
クリップ本体２（６）を、上下摘み片２ａ（６ａ）、２ｂの平面型状を略スプーン形又は略涙滴型のいずれか一方としたことを特徴とするナースコールクリップ１、１ａと、
スイッチ本体３を、スイッチ３ａを押した状態でオフとなり、スイッチ３ａを押さない状態でオンとなるスイッチ本体３としたことを特徴とするナースコールクリップ１の構成とした。
【発明の効果】
【０００８】
本発明のナースコールは電極同士の接触により電気を通してナースコールを鳴らすのではなく、押した状態ではＯＦＦ、離した状態ではＯＮとなるスイッチを使用したためクリップで挟む衣服が濡れてしまったり、金属製の繊維を使用した衣服であっても誤作動を起こさずに使用できる。
【０００９】
また、上記のような構成のため、ペースメーカーや精密医療機器等を使用している場合であっても各機器に電流による影響を起こすことが無く、安心して使用できる。
【００１０】
更に、衣服等に挟んだ後で故意にクリップを外した場合には、必ず一度はスイッチが突出してＯＮの状態となるためナースコールが鳴り、その後、他の場所に付け替えたとしても看護師等は患者等にきちんと取り付けられているかどうか確認することができる。
【発明を実施するための最良の形態】
【００１１】
取り付ける衣服の状態や素材を選ばず、他の医療機器に対して誤作動を発生させる可能性がなく、故意に外した場合でも即座に対応することが可能なナースコールという目的を、スイッチを押した状態ではナースコールが鳴らず、スイッチを離した状態でナースコールが鳴るスイッチを使用することによって実現した。
【実施例１】
【００１２】
以下に図１から図６を使用して本発明であるナースコールクリップを詳細に説明することとする。図１は本発明であるナースコールクリップの正面図、図２はナースコールクリップを広げた状態を示した正面図、図３はナースコールクリップのＡ−Ａ線断面図、図４はナースコールクリップの平面図、図５はナースコールクリップの底面図、図６はナースコールクリップのＢ−Ｂ線断面図である。
【００１３】
図１から図５に示すように、本発明であるナースコールクリップ１は、先端に上挟持部２ｃを形成した上摘み片２ａ及び先端に下挟持部２ｄを形成しスイッチ挿通孔２ｌを穿設した下摘み片２ｂからなり上下摘み片２ａ、２ｂを略Ｈ字状に連結したクリップ本体２と、
一端にスイッチ３ａを備え他端にコード３ｄを介してナースコールシステムに接続される電極３ｂ、３ｃを備えてスイッチ３ａが前記上挟持部２ｃ底面より下方に突出した状態で上挟持部２ｃに内蔵されるスイッチ本体３と、
前記上摘み片２ａの中央よりやや後部の下面と下摘み片２ｂの中央よりやや後部の上面を連結するスプリング４とからなる。
【００１４】
前記上挟持部２ｃは下面に上挟持補助材２ｅを取り付けており、上挟持部２ｃの底面より突出したスイッチ３ａは上挟持補助材２ｅも貫通し、上挟持補助材２ｅの底面から突出した状態となっている。
【００１５】
一方、前記下挟持部２ｄの上面には下挟持補助材２ｆが取り付けられており、下挟持補助材２ｆにも下挟持部２ｄに穿設されたスイッチ挿通孔２ｌが延長して穿設されている。
【００１６】
前記上下挟持補助材２ｅ、２ｆについては特に設けなければならない部材ではなく、取り付けずに上挟持部２ｃと上挟持補助材２ｅを一体とし、また同様に下挟持部２ｄと下挟持補助材２ｆを一体としてもよい。
【００１７】
また、前記上下挟持補助材２ｅ、２ｆは衣類等を直接挟持する部材であるため滑り止め効果のある素材とすることが好ましく、上下挟持補助材２ｅ、２ｆが互いに接触する面に凹凸などを設けてもよい。
【００１８】
前記上摘み片２ａの後端上面及び下摘み片２ｂの後端下面には滑り止め２ｊの突部が複数形成されており、この滑り止め２ｊにより上下摘み片２ａ、２ｂの後端を同時に持ち、上下摘み片２ａ、２ｂを近づけて上下挟持部２ｃ、２ｄを開く場合に手を滑らせることがなくなる。但し、この滑り止め２ｊについては特に設けなければならないものではなく、設けなくても構わない。尚、符号２ｇは支点を示している。
【００１９】
前記上摘み片２ａの中央よりやや後部寄りの底面には上突部２ｈが形成され、下摘み片２ｂの中央よりやや後部寄りの上面、即ち上突部２ｈに対応する位置には下突部２ｉが形成されている。
【００２０】
前記上下突部２ｈ、２ｉは前記スプリング４を取り付けるための突部で、スプリング４の上下端に上下突部２ｈ、２ｉを陥入させてクリップ本体２にスプリング４をとりつけている。
【００２１】
このスプリング４により、クリップ本体２は通常の状態では図１に示したように上下挟持補助材２ｅ、２ｆ（又は上下挟持補助材２ｅ、２ｆを取り付けない場合は上下挟持部２ｃ、２ｄ）が接触した状態となっており、図２及び図３に示したように上下摘み片２ａ、２ｂの後端同士を摘んで近づけた状態ではスプリング４が縮み元の状態に戻ろうとしている。
【００２２】
尚、前記スプリング４については螺旋状スプリングに限定したものではなく、板バネなども考えられ、外部圧力により縮み、元の形状に戻る運動をする部材であればよい。
【００２３】
図１から図３に示すように、前記上挟持部２ｃ内にはスイッチ本体３が内包されており、スイッチ本体３のスイッチが上挟持補助材２ｅの底面（又は上挟持補助材を設けない場合は上挟持部２ｃの底面）から下方に向かって突出している。
【００２４】
図３に示すようにスイッチ本体３が上挟持部２ｃの厚みよりも大きい場合、スイッチ本体３の上部及び電極３ｂ、３ｃが突出してしまうため、上挟持部２ｃの上面には収納部２ｋを設けた。この収納部２ｋについては、上挟持部２ｃ内に内包されるスイッチ本体３が小さい場合は、特に設ける必要が無くなるため、その場合は設けなくても構わない。
【００２５】
スイッチ本体３の電極３ｂ、３ｃにはコード３ｄが接続されており、このコード３ｄは上摘み片２ａの後部に穿設した孔２ｍを通って上摘み片２ａの下側に配線されナースコールシステムへ接続されている。
【００２６】
図４及び図５に示すように、前記上下摘み片２ａ、２ｂは先端が幅広の楕円型状をし、中央付近から後端にかけては一定の幅を保ち、後端部は丸みを帯びた略スプーン形状をしている。
【００２７】
図６に示すように、前記上下摘み片２ａ、２ｂの中央付近から後端にかけた一定の幅を保った部分については、内面側（上摘み片２ａの底面及び下摘み片２ｂの上面）は平らで、外面側（上摘み片２ａの上面及び下摘み片２ｂの底面）はゆるやかに膨らみ湾曲している。
【００２８】
次に図７及び図８を使用して、本発明であるナースコールクリップを使用した状態を説明することとする。図７は本発明であるナースコールクリップを使用した状態を示した断面図、図８はナースコールクリップのスイッチ部分を示した図である。
【００２９】
図７の下図に示すように、ナースコールクリップ１に被挟持体５挟んでいない状態では、スイッチ３ａが上挟持補助材２ｅの底面から突出し、スイッチ３ａの先端がスイッチ挿通孔２ｌに進入した状態となっている。
【００３０】
図７の上図に示すように、上下摘み片２ａ、２ｂを摘んで上下挟持補助材２ｅ、２ｆの間を広げ被挟持体５を挟むと、スイッチ３ａが被挟持体５によりスイッチ挿通孔２ｌへ進入するのは阻まれてスイッチ３ａが押された状態となる。
【００３１】
以上のようにスイッチ３ａは被挟持体５を挟んでいない状態では上挟持補助材２ｅの底面から突出した状態、即ちスイッチ本体３のスイッチ３ａが押されていない状態にあり、上下挟持補助材２ｅ、２ｆが接触した状態であってもスイッチ３ａはスイッチ挿通孔２ｌ内に逃げてしまい、スイッチ３ａを押すには必ず被挟持体５挟まなければならない。
【００３２】
従って、ナースコールクリップ１を患者等の衣類に取り付けた後、患者等がベッドから転落してナースコールクリップ１が外れた場合や故意にナースコールクリップ１を外して他の場所（枕やシーツ等）に付け替えようとした場合、ナースコールクリップ１は即座に反応してナースコールが鳴るため、看護師等は早い段階で対応することができる。
【００３３】
上記の状態を図８の各図で簡略した。（Ｃ）の状態は、本発明であるナースコールクリップ１を患者の衣類（被挟持体５）に取り付けた状態に当てはまり、この状態ではスイッチ３ａが押された状態にある。この状態ではスイッチはＯＦＦの状態となり、ナースコールが鳴らない。
【００３４】
（Ｄ）の状態は、患者等がベッドから転落してナースコールクリップ１が衣類（被挟持体５）から外れた状態に当てはまり、この状態ではスイッチ３ａがスイッチ挿通孔２ｌ内に進入しスイッチ３ａを押した状態が解除される。従って、スイッチがＯＮの状態となりナースコールが鳴る。
【００３５】
（Ｅ）の状態は、患者等が故意にナースコールクリップ１を外した状態に当てはまり、この状態はスイッチ３ａが上挟持部２ｃから突出しスイッチを押した状態が解除されている。従って（Ｄ）の状態と同じように、スイッチがＯＮの状態となりナースコールが鳴る。
【００３６】
以上のように、本発明であるナースコールクリップ１は、スイッチ３ａを押した状態でＯＦＦとなり、スイッチ３ａを離した状態でＯＮとなるようにスイッチ本体３を取り付けているため、一瞬でも被挟持体５が外れたり上下挟持補助材２ｅ、２ｆの間が開くとナースコールが鳴る状態にあり、看護師等はすぐに対応することができる。尚、このようなスイッチとしてはナチュラルクローズ式のスイッチが多く使用されているが、ナチュラルオープン式のスイッチであっても、上記のようにスイッチを押した状態でナースコールが鳴らず、離した状態でナースコールがなるように取り付ければ使用可能であり、特に限定していない。
【実施例２】
【００３７】
次に図９を使用して、本発明であるナースコールクリップの第２実施例を説明することとする。図９は本発明であるナースコールクリップの第２実施例を示した平面図である。
【００３８】
図９に示すように、本発明であるナースコールクリップ１ａは、前記実施例１で説明したナースコールクリップ１とほぼ同じである。即ち、上摘み片６ａ及び下摘み片（図示せず）の平面形状が先端に向かって幅広となっている略涙滴型状をしている以外は、実施例１に示した構成と同じである。
【図面の簡単な説明】
【００３９】
【図１】本発明であるナースコールクリップの正面図である。
【図２】本発明であるナースコールクリップを広げた状態を示した正面図である。
【図３】本発明であるナースコールクリップのＡ−Ａ線断面図である。
【図４】本発明であるナースコールクリップの平面図である。
【図５】本発明であるナースコールクリップの底面図である。
【図６】本発明であるナースコールクリップのＢ−Ｂ線断面図である。
【図７】本発明であるナースコールクリップを使用した状態を示した断面図である。
【図８】本発明であるナースコールクリップのスイッチ部分を示した図である。
【図９】本発明であるナースコールクリップの第２実施例を示した平面図である。
【符号の説明】
【００４０】
１      ナースコールクリップ
２      クリップ本体
２ａ    上摘み片
２ｂ    下摘み片
２ｃ    上挟持部
２ｄ    下挟持部
２ｅ    上挟持補助材
２ｆ    下挟持補助材
２ｇ    支点
２ｈ    上突部
２ｉ    下突部
２ｊ    滑り止め
２ｋ    収納部
２ｌ    スイッチ挿通孔
２ｍ    孔
３      スイッチ本体
３ａ    スイッチ
３ｂ    電極
３ｃ    電極
３ｄ    コード
４      スプリング
５      被挟持体
６      クリップ本体
６ａ    上摘み片
【図１】
2010088742.tif 000003
【図２】
2010088742.tif 000004
【図３】
2010088742.tif 000005
【図４】
2010088742.tif 000006
【図５】
2010088742.tif 000007
【図６】
2010088742.tif 000008
【図７】
2010088742.tif 000009
【図８】
2010088742.tif 000010
【図９】
2010088742.tif 000011